(57)【要約】      （修正有）【課題】再使用を促進させることができる段ボール箱を提供する。【解決手段】段ボール箱１の４枚の上蓋パネル６及び４枚の下蓋パネル８はそれぞれ、２枚の外蓋パネル６ａ、８ａを含む。２枚の外蓋パネル６ａ、８ａはそれぞれ、折曲げたときに隣接する対向辺１０、１２を有する。上蓋パネル６及び下蓋８パネルにおいて、外蓋パネル６ａ、８ａの対向辺１０、１２の両端に位置するコーナー部分１４、２４は、それと隣接した内蓋パネル６ｂ、８ｂコーナー部分１６、２６と折曲げ可能に横方向に連結される。内蓋パネル６ｂ、８ｂを折曲げたとき、内蓋パネル６ｂ、８ｂは折り目線２０、３０に沿って折曲げられ、内蓋パネル６ｂ、８ｂのコーナー部分１６、２６は、外蓋パネル６ａ、６ｂの内側に折曲げられる。【選択図】図３
0003150844.tif 000002
【実用新案登録請求の範囲】
【請求項１】
直方体形状に組立てられる段ボール箱であって、
矩形輪郭を形成可能に横方向に環状に連結され、且つ、上辺及び下辺を有する４枚の矩形の側面パネルと、
４枚の側面パネルのそれぞれの上辺にそれぞれ連結された４枚の上蓋パネルと、
４枚の側面パネルのそれぞれの下辺にそれぞれ連結された４枚の下蓋パネルと、を有し、
４枚の上蓋パネル及び４枚の下蓋パネルはそれぞれ、横方向に交互に配置された２枚の外蓋パネルと２枚の内蓋パネルとによって構成され、４枚の側面パネルが矩形輪郭を形成するとき、２枚の外蓋パネルは対向し、２枚の外蓋パネルはそれぞれ、それらを側面パネルの上辺又は下辺に沿って折曲げたときに前記矩形輪郭を形成するように互いに向い合って隣接する対向辺を有し、
４枚の上蓋パネル及び４枚の下蓋パネルの少なくとも一方において、外蓋パネルの対向辺の両端に位置するコーナー部分は、それと隣接した内蓋パネルのコーナー部分と、折曲げ可能に横方向に連結され、内蓋パネルは、それが連結されている側面パネルの上辺又は下辺の端部から斜め方向に延びる折り目線を有し、内蓋パネルを側面パネルの上辺又は下辺に沿って折曲げたとき、内蓋パネルは、前記折り目線に沿って折曲げられ、内蓋パネルのコーナー部分は、上辺又は下辺のところに移動すると共に、外蓋パネルの内側に折曲げられることを特徴とする段ボール箱。
【請求項２】
隣接した側面パネルの少なくとも１組は、一方の側面パネルから横方向に延びる重ね代を介して互いに連結される、請求項１に記載の段ボール箱。
【請求項３】
互いに連結された外蓋パネルのコーナー部分と内蓋パネルのコーナー部分の少なくとも１組は、一方の外蓋パネルから横方向に延びる重ね代を介して互いに連結される、請求項２に記載の段ボール箱。
【請求項４】
横方向に延びる重ね代を有する外蓋パネルと、横方向に延びる重ね代を有する側面パネルとが連結されており、外蓋パネルの重ね代と側面パネルの重ね代とが互いに連結されることを特徴とする請求項３に記載の段ボール箱。
【請求項５】
１枚の段ボール板材料から切出すことによって一体に形成されることを特徴とする請求項４に記載の段ボール箱。
【請求項６】
隣接した外蓋パネルと内蓋パネルの間に、スリットが設けられ、スリットの形状は、外蓋パネルの側を底辺とし且つ内蓋パネルの側を頂点とする三角形状であることを特徴とする請求項１〜５のいずれか１項に記載の段ボール箱。
【請求項７】
外蓋パネルのコーナー部分と内蓋パネルのコーナー部分の互いに連結される長さは、外蓋パネルの対向辺に貼付けられるテープの幅の半分よりも大きいことを特徴とする請求項１〜６のいずれか１項に記載の段ボール箱。
【考案の詳細な説明】
【技術分野】
【０００１】
本考案は、段ボール箱に関し、更に詳細には、直方体形状の段ボール箱に関する。
【背景技術】
【０００２】
従来、直方体形状の段ボール箱が一般的に使用されている。図５は、従来の段ボール箱の斜視図である。図５（ａ）に示すように、典型的には、段ボール箱８０の４枚の側面パネル８１を矩形輪郭に配置し、底面を形成するために、対向する内フラップ８２を折曲げ、次いで、対向する外フラップ８４を折曲げて、内フラップ８２の上に重ね、近接させた外フラップの合わせ目全体にわたって、ガムテープ等のテープ８５を貼付ける。次いで、段ボール箱を上下逆向きに配置する。次いで、蓋面を形成するために、対向する内フラップ８６を折曲げ、次いで、対向する外フラップ８７を折曲げて、内フラップ８６の上に重ねる。最後に、底面と同様に、近接させた外フラップ８７の合わせ目全体にわたって、ガムテープ等のテープ（図示せず）を貼付ける。（例えば、特許文献１及び２参照）。
【０００３】
段ボール箱８０の側面パネル及び各フラップ（８１〜８７）は、１枚の段ボール板材料から切出すことによって一体に形成される。また、段ボール板材料は、２枚の平らなライナー８８ａ、８８ｂと、それらを結合するためにそれらの間に配置された波形の板８９とで構成されている（例えば、特許文献１参照）。
【先行技術文献】
【特許文献】
【０００４】
【特許文献１】特開２００３−２６１４４号公報
【特許文献２】特開２００５−２３１６３０号公報
【考案の概要】
【考案が解決しようとする課題】
【０００５】
段ボール箱８０の蓋面又は底面を開けるとき、ガムテープ８５を段ボール箱８０から引きはがす。そのとき、図５（ｂ）に示すように、外フラップ８４、８７のコーナー部分８４ａ、８７ａのライナー８８ａが、波形の板８８ｂから分離して、めくれ上がることがしばしばある。
【０００６】
この場合、段ボール箱の強度が低下したり、見た目が悪くなったりして、段ボール箱が再使用されないことが多かった。
【０００７】
そこで、本考案は、再使用を促進させることができる段ボール箱を提供することを目的とする。
【課題を解決するための手段】
【０００８】
上記目的を達成するために、本考案による段ボール箱は、直方体形状に組立てられる段ボール箱であって、矩形輪郭を形成可能に横方向に環状に連結され、且つ、上辺及び下辺を有する４枚の矩形の側面パネルと、４枚の側面パネルのそれぞれの上辺にそれぞれ連結された４枚の上蓋パネルと、４枚の側面パネルのそれぞれの下辺にそれぞれ連結された４枚の下蓋パネルと、を有し、４枚の上蓋パネル及び４枚の下蓋パネルはそれぞれ、横方向に交互に配置された２枚の外蓋パネルと２枚の内蓋パネルとによって構成され、４枚の側面パネルが矩形輪郭を形成するとき、２枚の外蓋パネルは対向し、２枚の外蓋パネルはそれぞれ、それらを側面パネルの上辺又は下辺に沿って折曲げたときに上記矩形輪郭を形成するように互いに向い合って隣接する対向辺を有し、４枚の上蓋パネル及び４枚の下蓋パネルの少なくとも一方において、外蓋パネルの対向辺の両端に位置するコーナー部分は、それと隣接した内蓋パネルのコーナー部分と、折曲げ可能に横方向に連結され、内蓋パネルは、それが連結されている側面パネルの上辺又は下辺の端部から斜め方向に延びる折り目線を有し、内蓋パネルを側面パネルの上辺又は下辺に沿って折曲げたとき、内蓋パネルは、上記折り目線に沿って折曲げられ、内蓋パネルのコーナー部分は、上辺又は下辺のところに移動すると共に、外蓋パネルの内側に折曲げられることを特徴としている。
【０００９】
このように構成された段ボール箱では、外蓋パネルの対向辺の両端に位置するコーナー部分が、それと隣接した内蓋パネルのコーナー部分と、折曲げ可能に横方向に連結されているので、段ボール箱を組立てたとき、内蓋パネルのコーナー部分は、外蓋パネルの内側に折曲げられる。それにより、ライナーの端が露出しない部分が外蓋パネルのコーナー部分にでき、外蓋パネルの対向辺に貼付けられたガムテープ等をはがすときのライナーのめくれ上がりが防止される。また、内蓋パネルを折り曲げることに連動して、内蓋パネルのコーナー部分が外蓋パネルのコーナー部分の内側に確実に折り曲げられ、外側パネルのコーナー部分のライナーのめくれ上がりが確実に防止される。その結果、段ボール箱の再使用を促進させることができる。
【００１０】
本考案の実施形態において、好ましくは、隣接した側面パネルの少なくとも１組は、一方の側面パネルから横方向に延びる重ね代を介して互いに連結される。更に好ましくは、互いに連結された外蓋パネルのコーナー部分と内蓋パネルのコーナー部分の少なくとも１組は、一方の外蓋パネルから横方向に延びる重ね代を介して互いに連結される。更に好ましくは、横方向に延びる重ね代を有する外蓋パネルと、横方向に延びる重ね代を有する側面パネルとが連結されており、外蓋パネルの重ね代と側面パネルの重ね代とが互いに連結される。更に好ましくは、段ボール箱は、１枚の段ボール板材料から切出すことによって一体に形成される。
【００１１】
本考案の実施形態において、好ましくは、隣接した外蓋パネルと内蓋パネルの間に、スリットが設けられ、スリットの形状は、外蓋パネルの側を底辺とし且つ内蓋パネルの側を頂点とする三角形状である。
【００１２】
この段ボール箱では、内蓋パネル及び外蓋パネルを折曲げるときの抵抗が少なくなるので、使いやすくなり、段ボールの再使用を促進させることができる。
【００１３】
本考案の実施形態において、好ましくは、外蓋パネルのコーナー部分と内蓋パネルのコーナー部分の互いに連結される長さは、外蓋パネルの対向辺に貼付けられるテープの幅の半分よりも大きい。
【００１４】
この段ボール箱では、外側パネルのコーナー部分のライナーがめくれ上がりが更に確実に防止される。その結果、段ボール箱の再使用を促進させることができる。
【考案の効果】
【００１５】
本考案による段ボール箱により、再使用を促進させることができる。
【図面の簡単な説明】
【００１６】
【図１】本考案による段ボール箱の組立後の斜視図である。
【図２】本考案による段ボール箱の組立中の斜視図である。
【図３】本考案による段ボール箱の組立中の斜視図である。
【図４】本考案による段ボール箱の例示の展開図である。
【図５】従来の段ボール箱の斜視図である。
【考案を実施するための形態】
【００１７】
以下、図面を参照して、本考案による段ボール箱の実施形態を説明する。図１本考案による段ボール箱の組立後の斜視図である。また、図２及び図３はそれぞれ、本考案による段ボール箱の組立中の斜視図である。
【００１８】
図１〜図３に示すように、段ボール箱１は、直方体形状に組立てられる段ボール箱である。主に図３から分かるように、段ボール箱１は、矩形輪郭を形成可能に横方向に環状に連結された４枚の矩形の側面パネル２を有している。４枚の側面パネル２はそれぞれ、上辺４ａ及び下辺４ｂを有している。段ボール箱１は、更に、４枚の側面パネル２のそれぞれの上辺４ａにそれぞれ連結された４枚の上蓋パネル６と、４枚の側面パネルのそれぞれの下辺４ｂにそれぞれ連結された４枚の下蓋パネル８とを有している。
【００１９】
４枚の上蓋パネル６及び４枚の下蓋パネル８はそれぞれ、横方向に交互に配置された２枚の外蓋パネル６ａ、８ａと２枚の内蓋パネル６ｂ、８ｂとによって構成されている。従って、４枚の側面パネル２が矩形輪郭を形成するとき、２枚の外蓋パネル６ａ、８ａは対向する。２枚の外蓋パネル６ａ、８ａはそれぞれ、それらを側面パネル２の上辺４ａ又は下辺４ｂに沿って折曲げたときに上記矩形輪郭を形成するように互いに向い合って隣接する対向辺１０、１２を有している。本実施形態では、外蓋パネル６ａ、８ａは、矩形である。内蓋パネル６ｂ、８ｂの形状は任意である。
【００２０】
４枚の上蓋パネル６（６ａ、６ｂ）において、外蓋パネル６ａの対向辺１０の両端に位置するコーナー部分１４は、それと隣接した内蓋パネル６ｂのコーナー部分１６と横方向に折曲げ可能に連結されている。また、内蓋パネル６ｂは、それが連結されている側面パネル２の上辺４ａの端部１８から斜め方向に延びる折り目線２０を有している。折り目線２０の沿って、切込みが設けられていてもよい。後で説明するように、内蓋パネル６ｂを側面パネル２の上辺４ａに沿って折曲げたとき、内蓋パネル６ｂは、折り目線２０に沿って折曲げられ、内蓋パネル６ｂのコーナー部分１６は、上辺４ａのところに移動すると共に、外蓋パネル６ａの内側（図１において下側）に折曲げられる。
【００２１】
４枚の下蓋パネル８（８ａ、８ｂ）も、４枚の上蓋パネル６（６ａ、６ｂ）と同様の構造を有している。即ち、４枚の下蓋パネル８（８ａ、８ｂ）において、外蓋パネル８ａの対向辺１２の両端に位置するコーナー部分２４は、それと隣接した内蓋パネル８ｂのコーナー部分２６と横方向に折曲げ可能に連結されている。また、内蓋パネル８ｂは、それが連結されている側面パネル２の下辺４ｂの端部２８から斜め方向に延びる折り目線３０を有している。折り目線３０の沿って、切込みが設けられていてもよい。後で説明するように、内蓋パネル８ｂを側面パネル２の下辺４ｂに沿って折曲げたとき、内蓋パネル８ｂは、折り目線３０に沿って折曲げられ、内蓋パネル８ｂのコーナー部分２６は、下辺４ｂのところに移動すると共に、外蓋パネル８ａの内側（図１において上側）に折曲げられる。
【００２２】
また、外蓋パネル６ａ、８ａと内蓋パネル６ｂ、８ｂとの間に、スリット３４、３６が設けられることが好ましい。
【００２３】
図４は、本考案による段ボール箱の展開図の一例である。
【００２４】
図４に示すように、段ボール箱１は、１枚の段ボール板材料から切出すことによって一体に形成されている。詳細には、段ボール箱１の４枚の矩形の側面パネル２（２ａ〜２ｄ）は、１枚のダンボール材料で形成されることによって、横方向に連結されている。また、隣接した側面パネル２ａ、２ｄを構成するために、側面パネル２ａ、２ｄは、一方の側面パネル２ａから横方向に延びる重ね代４０を介して互いに連結されている。重ね代４０を介した連結は、のり付け、ステープル等によって行われることが好ましい。
【００２５】
また、上蓋パネル６において、側面パネル２ａ、２ｂに連結された外蓋パネル６ａ及び内蓋パネル６ｂのコーナー部分１４、１６、側面パネル２ｂ、２ｃに連結された内蓋パネル６ｂ及び外蓋パネル６ａのコーナー部分１６、１４、及び、側面パネル２ｃ、２ｄに連結された外蓋パネル６ａ及び内蓋パネル６ｂのコーナー部分１４、１６は、１枚のダンボール材料で形成されることによって横方向に連結されている。また、側面パネル２ａに連結された外蓋パネル６ａのコーナー部分１４と、側面パネル２ｄに連結された内蓋パネル６ｂのコーナー部分１６とを互いに横方向に連結するために、外蓋パネル６ａから横方向に延びる重ね代４２が設けられている。かくして、かかるコーナー部分１４、１６は、重ね代３６を介して互いに連結されている。重ね代４２を介した連結は、のり付け、ステープル等によって行われることが好ましい。
【００２６】
同様に、下蓋パネル８において、側面パネル２ａ、２ｂに連結された外蓋パネル８ａ及び内蓋パネル８ｂのコーナー部分２４、２６、側面パネル２ｂ、２ｃに連結された内蓋パネル８ｂ及び外蓋パネル８ａのコーナー部分２６、２４、及び、側面パネル２ｃ、２ｄに連結された外蓋パネル８ａ及び内蓋パネル８ｂのコーナー部分２４、２６は、１枚のダンボール材料で形成されることによって横方向に連結されている。また、側面パネル２ａに連結された外蓋パネル８ａのコーナー部分２４と、側面パネル２ｄに連結された内蓋パネル８ｂのコーナー部分２６とを互いに横方向に連結するために、外蓋パネル８ａから横方向に延びる重ね代４４が設けられている。かくして、かかるコーナー部分２４、２６は、重ね代３８を介して互いに連結されている。重ね代４４を介した連結は、のり付け、ステープル等によって行われることが好ましい。
【００２７】
横方向に延びる重ね代４２、４４を有する外蓋パネル６ａ、８ａは、横方向に延びる重ね代４０を有する側面パネル２ａと連結されていることが好ましい。
【００２８】
外蓋パネル６ａ、８ａに連結された重ね代４２、４４は、外蓋パネル６ａ、８ａのコーナー部分１４、２４のところにだけあってもよいし、側面パネル２の上辺４ａ又は下辺４ｂまで延びて、側面パネル２ａに連結された重ね代４０と互いに連結されていてもよい。
【００２９】
更に、外蓋パネル６ａ、８ａに連結された重ね代４２、４４が、側面パネル２ａに連結された重ね代４０と連結されている場合、外蓋パネル６ａ、８ａと重ね代４２、４４との間にスリット３４ａ（３４）、３６ａ（３６）が設けられることが好ましい。
【００３０】
スリット３４、３６、３４ａ、３６ａの形状は、外蓋パネル６ａ、８ａの側を底辺とし且つ内蓋パネル６ｂの側を頂点とする三角形状であることが好ましい。
【００３１】
互いに連結されている外蓋パネル６ａ、８ａのコーナー部分１４、２４と内蓋パネル６ｂ、８ｂのコーナー部分１６、２６の互いに連結される長さは、外蓋パネル６ａ、８ａの対向辺１０、１２に貼付けられるテープの幅の半分よりも大きいことが好ましい。典型的なテープは、５０ｍｍの幅を有しているので、かかる長さは、５０ｍｍの半分に５ｍｍの余裕を追加して、３０ｍｍ以上であることが好ましい。
【００３２】
次に、段ボール箱の組立手順の一例を説明する。これらの手順は、機械で自動的に行われてもよいし、手で行ってもよい。
【００３３】
図４に示す展開図のように１枚の段ボール板材料から切り出された段ボール箱（組立前）の、重ね代４０、４２、４４をそれぞれ、側面パネル２ｄ、それに連結された内蓋パネル６ｂ、８ｂに、のり付け等により連結し、環状の形態にする。次いで、４枚の側面パネル２（２ａ〜２ｄ）を矩形輪郭に広げる（図３参照）。
【００３４】
図３に示す段ボール箱１を上下反転させ、下蓋パネル８の内蓋パネル８ｂを下辺４ｂに沿って折曲げる。それに連動して、内蓋パネル８ｂは、折り目線３０に沿って折曲げられ、内蓋パネル８ｂのコーナー部分２６は、下辺４ｂのところに移動すると共に、外蓋パネル８ａの内側（図１において上側）に折曲げられる。更に、それに連動して、外蓋パネル８ａが、下辺４ｂに沿って折曲げられる。外蓋パネル８ａの対向辺１２を押して、互いに向い合うように隣接させ、対向辺１２の全長にわたってテープ４６を貼付ける。テープは、側面パネル２の途中まで延長されて貼付けられることが好ましい。
【００３５】
次いで、段ボール箱を上下反転させて図３に示す姿勢にし、上蓋パネル６の内蓋パネル６ｂを上辺４ａに沿って折曲げる。それに連動して、内蓋パネル６ｂは、折り目線２０に沿って折曲げられ、内蓋パネル６ｂのコーナー部分１６は、上辺４ａのところに移動すると共に、外蓋パネル６ａの内側（図１において下側）に折曲げられる。更に、それに連動して、外蓋パネル６ａが、上辺４ａに沿って折曲げられる（図２参照）。
【００３６】
内容物を段ボール箱１の中に入れたら、外蓋パネル６ａの対向辺１０を押して、互いに向い合うように隣接させ、対向辺１０の全長にわたってテープ４６（一部破断して示す）を貼付ける（図１参照）。このテープは、側面パネル２の途中まで延長されて貼付けられることが好ましい。
【００３７】
段ボール板材料のライナー（図５参照）の端が露出しない部分が外蓋パネル６ａ、８ａのコーナー部分１４、２４にできるので、外蓋パネル６ａ、８ａの対向辺に貼付けられたテープ４６をはがすときのライナーのめくれ上がりが防止される。
【００３８】
以上、本考案の実施形態を説明したが、本考案は、以上の実施の形態に限定されることなく、実用新案登録請求の範囲に記載された考案の範囲内で種々の変更が可能であり、それらも本考案の範囲内に包含されるものであることはいうまでもない。
【００３９】
上記実施形態では、外蓋パネル６ａ、８ａは、矩形であったが、その形状は任意であり、例えば、対向辺１０、１２が、上辺４ａ及び下辺４ｂに対して斜めに延びる台形であってもよいし、対向辺１０、１２が折れ曲がったり湾曲したりした形状であってもよい。
【００４０】
上記実施形態では、４枚の上蓋パネル６（６ａ、６ｂ）と４枚の下蓋パネル８（８ａ、８ｂ）の両方において、外蓋パネル６ａ、８ａの対向辺１０、１２の両端に位置するコーナー部分１４、２４は、それと隣接した内蓋パネル６ｂ、８ｂのコーナー部分１６、２６と横方向に折曲げ可能に連結されているが、上蓋パネル６と下蓋パネル８の一方だけが、繰返し開閉されるような場合、上蓋パネル６と下蓋パネル８の一方だけが上述した構成を有し、その他方が従来の構成等を有していてもよい。
【００４１】
上記実施形態では、段ボール箱１は、１枚の段ボール板材料から切出すことによって一体に形成されているが、２枚以上の段ボール板材料から形成されていてもよい。また、上記実施形態では、側面パネル２ａと側面パネル２ｄの間が分割され、重ね代４０によって連結されているが、その他の箇所で分割されていてもよい。
【００４２】
上記実施形態のように、外蓋パネル６ａ、８ａのコーナー部分１４、２４は、すべての箇所において、ライナー（図５参照）の端が露出しないように、外蓋パネル６ａ、８ａのコーナー部分１４、２４を延長するように内蓋パネル６ｂ、８ｂのコーナー部分１６、２６に連結されることが好ましい。具体的には、外蓋パネル６ａ、８ａのコーナー部分１４、２４と内蓋パネル６ｂ、８ｂのコーナー部分１６、２６とは、１枚の段ボール板材料によって連結され、又は、外蓋パネル６ａ、８ａに連結された重ね代４２、４４を介して連結されることが好ましい。しかしながら、再使用を促進することができれば、一部分、ライナーの端が露出するように、外蓋パネル６ａ、８ａのコーナー部分１４、２４と内蓋パネル６ｂ、８ｂのコーナー部分１６、２６とが連結されてもよい。例えば、外蓋パネル６ａ、８ａのコーナー部分１４、２４と内蓋パネル６ｂ、８ｂのコーナー部分１６、２６とが、内蓋パネル６ｂ、８ｂに連結された重ね代を介して連結されることが考えられる。
【符号の説明】
【００４３】
１  段ボール箱
２（２ａ〜２ｄ）  側面パネル
４ａ  上辺
４ｂ  下辺
６  上蓋パネル
６ａ  外蓋パネル（上蓋パネル）
６ｂ  内蓋パネル（上蓋パネル）
８  下蓋パネル
８ａ  外蓋パネル（下蓋パネル）
８ｂ  内蓋パネル（下蓋パネル）
１０、１２対向辺
１４、２４  コーナー部分（外蓋パネル）
１６、２６  コーナー部分（内蓋パネル）
２０、３０  折り目線
３４、３６  スリット
４０  重ね代（側面パネル）
４２  重ね代（上蓋パネル）
４４  重ね代（下蓋パネル）
【図１】
0003150844.tif 000003
【図２】
0003150844.tif 000004
【図３】
0003150844.tif 000005
【図４】
0003150844.tif 000006
【図５】
0003150844.tif 000007